(57)【要約】  多地点協調（ＣｏＭＰ）システムにおいて経路損失（ＰＬ）補償を実行するための技法が提供される。ユーザ機器（ＵＥ）によるワイヤレス通信のための方法が提供される。方法は、概して、ＵＥとのアップリンク（ＵＬ）多地点協調（ＣｏＭＰ）動作に関与する複数の送信点から、経路損失（ＰＬ）補償のために連携すべき送信点を選択することと、選択された送信点に基づいて測定された経路損失に基づいて１つまたは複数の送信の電力を調整することとを含む。
2015521392.tif 000002
【特許請求の範囲】
【請求項１】
ユーザ機器（ＵＥ）によるワイヤレス通信のための方法であって、
前記ＵＥとのアップリンク（ＵＬ）多地点協調（ＣｏＭＰ）動作に関与する複数の送信点から、経路損失（ＰＬ）補償のために連携すべき送信点を選択することと、
前記選択された送信点に基づいて測定された経路損失に基づいて、１つまたは複数の送信の電力を調整することとを備える、方法。
【請求項２】
前記送信点が、異種ネットワークを形成する異なるクラスタイプの送信点を備え、
前記選択することが、第１の電力クラスタイプの送信点と第２の電力クラスタイプの送信点との間の経路損失における相対的な差に少なくとも部分的に基づく、請求項１に記載の方法。
【請求項３】
前記第１の電力クラスタイプの前記送信点が、マクロ送信点を備え、
前記選択することが、前記マクロ送信点に対して測定された経路損失が閾値より低い場合にマクロ送信点を選択することを備える、請求項２に記載の方法。
【請求項４】
前記第２の電力クラスタイプの前記送信点が、ピコ送信点を備え、
前記閾値が、前記ピコ送信点の経路損失およびバイアス量に少なくとも部分的に基づいて決定される、請求項３に記載の方法。
【請求項５】
基地局によって１つまたは複数のユーザ機器（ＵＥ）の送信電力を制御するための方法であって、
第１の競合ベースのランダムアクセスチャネル（ＲＡＣＨ）の送信電力を調整するために、第１の電力制御アルゴリズムを利用することと、
非競合ベースのＲＡＣＨの送信電力を調整するために、第２の電力制御アルゴリズムを利用することとを備える、方法。
【請求項６】
前記第１の電力制御アルゴリズムが、前記第２の電力制御アルゴリズムが非競合ベースのＲＡＣＨの送信のための送信電力を増加させるより速く、競合ベースのＲＡＣＨの送信のための送信電力を増加させる、請求項５に記載の方法。
【請求項７】
前記第１の電力制御アルゴリズムが、第１のステップサイズを有する送信電力制御（ＴＰＣ）コマンドを利用し、
前記第２の電力制御アルゴリズムが、前記第１のステップサイズより大きい第２のステップサイズを有するＴＰＣコマンドを利用する、請求項５に記載の方法。
【請求項８】
前記第２のステップサイズの前記ＴＰＣコマンドが、ダウンリンクサブフレームのデータ領域内のリソースを利用する拡張物理ダウンリンク制御チャネル（ＰＤＣＣＨ）内でシグナリングされる、請求項７に記載の方法。
【請求項９】
ユーザ機器（ＵＥ）によるワイヤレス通信のための方法であって、
第１の競合ベースのランダムアクセスチャネル（ＲＡＣＨ）の送信電力を調整するために、第１の電力制御アルゴリズムを利用することと、
非競合ベースのＲＡＣＨの送信電力を調整するために、第２の電力制御アルゴリズムを利用することとを備える、方法。
【請求項１０】
前記第１の電力制御アルゴリズムが、前記第２の電力制御アルゴリズムが非競合ベースのＲＡＣＨの送信のための送信電力を増加させるより速く、競合ベースのＲＡＣＨの送信のための送信電力を増加させる、請求項９に記載の方法。
【請求項１１】
前記第１の電力制御アルゴリズムが、第１のステップサイズを有する送信電力制御（ＴＰＣ）コマンドを利用し、
前記第２の電力制御アルゴリズムが、前記第１のステップサイズより大きい第２のステップサイズを有するＴＰＣコマンドを利用する、請求項９に記載の方法。
【請求項１２】
前記第２のステップサイズの前記ＴＰＣコマンドが、ダウンリンクサブフレームのデータ領域内のリソースを利用する拡張物理ダウンリンク制御チャネル（ＰＤＣＣＨ）内でシグナリングされる、請求項１１に記載の方法。
【請求項１３】
基地局によって１つまたは複数のユーザ機器（ＵＥ）の送信電力を制御するための方法であって、
ＵＥのモビリティを決定することと、
前記決定されたモビリティに基づいて前記ＵＥからの送信の電力の制御に使用するための電力制御アルゴリズムを選択することとを備える、方法。
【請求項１４】
前記選択することが、
高いモビリティを決定することに応答して、開ループ（ＯＬ）電力制御をディセーブルすることを備える、請求項１３に記載の方法。
【請求項１５】
前記選択することが、
低いモビリティを決定することに応答して、および前記ＵＥに対する１つまたは複数のＵＬの送信点が、前記ＵＥに対するＤＬの送信点と同じである場合に、開ループ（ＯＬ）電力制御を利用することを備える、請求項１３に記載の方法。
【請求項１６】
前記選択することが、
低いモビリティを決定することに応答して、および前記ＵＥに対する１つまたは複数のＵＬの送信点が、前記ＵＥに対するＤＬの送信点と同じでない場合に、閉ループ（ＣＬ）電力制御を利用することを備える、請求項１３に記載の方法。
【請求項１７】
前記選択することが、
低いモビリティを決定することに応答して、および前記ＵＥに対する前記１つまたは複数のＵＬの送信点が、前記ＵＥに対するＤＬの送信点と同じでない場合に、閉ループ（ＣＬ）と開ループ（ＯＬ）の両方の電力制御を利用することを備える、請求項１３に記載の方法。
【請求項１８】
ユーザ機器（ＵＥ）によるワイヤレス通信のための方法であって、
前記ＵＥとのアップリンク（ＵＬ）多地点協調（ＣｏＭＰ）送信に関与する複数の送信点に対する経路損失（ＰＬ）を測定することと、
ＰＬ補償を適用するために送信点のうちの１つを前記ＰＬ測定値に基づいて選択することとを備える、方法。
【請求項１９】
前記選択することが、
ＰＬ補償を適用するために最小経路損失を有する送信点を選択することを備える、請求項１８に記載の方法。
【請求項２０】
前記測定することが、
少なくとも１つの第２のセルから共通基準信号（ＣＲＳ）の干渉除去（ＩＣ）を実行することによって第１のセルからＣＲＳを測定することを備える、請求項１９に記載の方法。
【請求項２１】
ＵＬ  ＣｏＭＰ送信に関与する送信点のセットと、送信点の前記セットに対する対応する電力設定とを示すシグナリングを受信することをさらに備える、請求項１９に記載の方法。
【請求項２２】
前記測定することが、
ＵＬ  ＣｏＭＰ動作に関与する送信点の前記セットから送信されたチャネル状態情報基準信号（ＣＳＩ-ＲＳ）を測定することをさらに備える、請求項１９に記載の方法。
【請求項２３】
ＣＳＩ-ＲＳポートのリストと、送信点の前記セットに対する対応する電力設定とを示すシグナリングを受信することをさらに備える、請求項２２に記載の方法。
【請求項２４】
前記シグナリングが、ＤＬ  ＣｏＭＰ測定値およびＵＬ  ＣｏＭＰ測定値に固有のＣＳＩ-ＲＳポートの分離したセットを示す、請求項２３に記載の方法。
【請求項２５】
基地局によるワイヤレス通信のための方法であって、
ＵＥと、前記ＵＥとのアップリンク（ＵＬ）多地点協調（ＣｏＭＰ）送信に関与する１つまたは複数の送信点との間の経路損失（ＰＬ）を測定することと、
前記測定された経路損失を補償するためのアクションを行うこととを備える、方法。
【請求項２６】
前記アクションが、
電力シェーピングアルゴリズムを実行することを備える、請求項２５に記載の方法。
【請求項２７】
前記電力シェーピングアルゴリズムが、部分的経路損失補償ベースのレートシェーピングを達成するように前記ＵＥ送信電力を調整するために、１つまたは複数の送信電力制御（ＴＰＣ）コマンドを送信することを備える、請求項２６に記載の方法。
【請求項２８】
前記測定することが、受信された信号電力、前記ＵＥの最大送信電力、および前記ＵＥの電力ヘッドルーム報告に基づいてＰＬを計算することを備える、請求項２５に記載の方法。
【請求項２９】
前記アクションが、
１つまたは複数の他のＵＥを制御することによって前記１つまたは複数の他のＵＥによって引き起こされる、前記ＵＥに対する干渉を低減することをさらに備える、請求項２５に記載の方法。
【請求項３０】
ユーザ機器（ＵＥ）によるワイヤレス通信の方法であって、
共通基準信号（ＣＲＳ）と、アップリンク（ＵＬ）ＣｏＭＰ送信に関与する送信点から送信されたチャネル状態情報基準信号（ＣＳＩ-ＲＳ）との両方を測定することと、
前記ＣＲＳと前記ＣＳＩ-ＲＳの両方に基づいてＵＬ送信のための電力制御を実行することとを備える、方法。
【請求項３１】
前記ＣＲＳと前記ＣＳＩ-ＲＳの両方に基づいてＵＬ送信のための電力制御を実行することが、
ＣＲＳに基づいて経路損失（ＰＬ）を測定することと、
ＣＳＩ-ＲＳに基づいて開ループ（ＯＬ）電力制御を使用するかどうかを判断することとを備える、請求項３０に記載の方法。
【請求項３２】
前記ＣＲＳと前記ＣＳＩ-ＲＳの両方に基づいてＵＬ送信のための電力制御を実行することが、
ＣＲＳに基づいて複数の送信点に対する経路損失（ＰＬ）を測定することと、
ＣＳＩ-ＲＳに基づいて電力制御のために、どのＰＬを使用するかを判断することとを備える、請求項３０に記載の方法。
【請求項３３】
ＣＳＩ-ＲＳに基づいて１つまたは複数のセルを検出することと、
前記１つまたは複数のセルを検出した後、ＣＲＳ干渉除去（ＣＲＳ-ＩＣ）をイネーブルすることとをさらに備える、請求項３０に記載の方法。
【請求項３４】
前記ＣＲＳと前記ＣＳＩ-ＲＳの両方に基づいてＵＬ送信のための電力制御を実行することが、
ＣＲＳに基づいてベース経路損失（ＰＬ）を測定することと、
ＣＳＩ-ＲＳに基づいて経路損失（ＰＬ）内の差を測定することとを備える、請求項３０に記載の方法。
【請求項３５】
ユーザ機器（ＵＥ）によるワイヤレス通信のための装置であって、
前記ＵＥとのアップリンク（ＵＬ）多地点協調（ＣｏＭＰ）動作に関与する複数の送信点から、経路損失（ＰＬ）補償のために連携すべき送信点を選択するための手段と、
前記選択された送信点に基づいて測定された経路損失に基づいて、１つまたは複数の送信の電力を調整するための手段とを備える、装置。
【請求項３６】
基地局によって１つまたは複数のユーザ機器（ＵＥ）の送信電力を制御するための装置であって、
ユーザ機器（ＵＥ）からの第１の競合ベースのランダムアクセスチャネル（ＲＡＣＨ）の送信電力を調整するために、第１の電力制御アルゴリズムを利用するための手段と、
ＵＥからの非競合ベースのＲＡＣＨの送信電力を調整するために、第２の電力制御アルゴリズムを利用するための手段とを備える、装置。
【請求項３７】
ユーザ機器（ＵＥ）によるワイヤレス通信のための装置であって、
基地局への第１の競合ベースのランダムアクセスチャネル（ＲＡＣＨ）の送信電力を調整するために、第１の電力制御アルゴリズムを利用するための手段と、
基地局への非競合ベースのＲＡＣＨの送信電力を調整するために、第２の電力制御アルゴリズムを利用するための手段とを備える、装置。
【請求項３８】
基地局によって１つまたは複数のユーザ機器（ＵＥ）の送信電力を制御するための装置であって、
ＵＥのモビリティを決定するための手段と、
前記決定されたモビリティに基づいて前記ＵＥからの送信の電力の制御に使用するための電力制御アルゴリズムを選択するための手段とを備える、装置。
【請求項３９】
ユーザ機器（ＵＥ）によるワイヤレス通信のための装置であって、
前記ＵＥとのアップリンク（ＵＬ）多地点協調（ＣｏＭＰ）送信に関与する複数の送信点に対する経路損失（ＰＬ）を測定するための手段と、
ＰＬ補償を適用するために送信点のうちの１つを前記ＰＬ測定値に基づいて選択するための手段とを備える、装置。
【請求項４０】
基地局によるワイヤレス通信のための装置であって、
前記ＵＥと、前記ＵＥとのアップリンク（ＵＬ）多地点協調（ＣｏＭＰ）送信に関与する１つまたは複数の送信点との間の経路損失（ＰＬ）を測定するための手段と、
前記測定された経路損失を補償するためのアクションを行うための手段とを備える、装置。
【請求項４１】
ユーザ機器（ＵＥ）によるワイヤレス通信のための装置であって、
共通基準信号（ＣＲＳ）と、アップリンク（ＵＬ）ＣｏＭＰ送信に関与する送信点から送信されたチャネル状態情報基準信号（ＣＳＩ-ＲＳ）との両方を測定するための手段と、
前記ＣＲＳと前記ＣＳＩ-ＲＳの両方に基づいてＵＬ送信のための電力制御を実行するための手段とを備える、装置。
【請求項４２】
ユーザ機器（ＵＥ）によるワイヤレス通信のための装置であって、
ＵＥとのアップリンク（ＵＬ）多地点協調（ＣｏＭＰ）動作に関与する複数の送信点から、経路損失（ＰＬ）補償のために連携すべき送信点を選択し、前記選択された送信点に基づいて測定された経路損失に基づいて１つまたは複数の送信の電力を調整するように構成された少なくとも１つのプロセッサと、
前記少なくとも１つのプロセッサに結合されたメモリとを備える、装置。
【請求項４３】
基地局によって１つまたは複数のユーザ機器（ＵＥ）の送信電力を制御するためのワイヤレス通信のための装置であって、
ＵＥからの第１の競合ベースのランダムアクセスチャネル（ＲＡＣＨ）の送信電力を調整するために第１の電力制御アルゴリズムを利用し、ＵＥからの非競合ベースのＲＡＣＨの送信電力を調整するために第２の電力制御アルゴリズムを利用するように構成された少なくとも１つのプロセッサと、
前記少なくとも１つのプロセッサに結合されたメモリとを備える、装置。
【請求項４４】
ユーザ機器（ＵＥ）によるワイヤレス通信のための装置であって、
基地局への第１の競合ベースのランダムアクセスチャネル（ＲＡＣＨ）の送信電力を調整するために第１の電力制御アルゴリズムを利用し、基地局への非競合ベースのＲＡＣＨの送信電力を調整するために第２の電力制御アルゴリズムを利用するように構成された少なくとも１つのプロセッサと、
前記少なくとも１つのプロセッサに結合されたメモリとを備える、装置。
【請求項４５】
基地局によって１つまたは複数のユーザ機器（ＵＥ）の送信電力を制御するためのワイヤレス通信のための装置であって、
ＵＥのモビリティを決定し、前記決定されたモビリティに基づいて前記ＵＥからの送信の電力を制御することに使用するための電力制御アルゴリズムを選択するように構成された少なくとも１つのプロセッサと、
前記少なくとも１つのプロセッサに結合されたメモリとを備える、装置。
【請求項４６】
ユーザ機器（ＵＥ）によるワイヤレス通信のための装置であって、
前記ＵＥとのアップリンク（ＵＬ）多地点協調（ＣｏＭＰ）送信に関与する複数の送信点に対する経路損失（ＰＬ）を測定し、ＰＬ補償を適用するために前記送信点のうちの１つを、前記ＰＬ測定値に基づいて選択するように構成された少なくとも１つのプロセッサと、
前記少なくとも１つのプロセッサに結合されたメモリとを備える、装置。
【請求項４７】
基地局によるワイヤレス通信のための装置であって、
ユーザ機器（ＵＥ）と、前記ＵＥとのアップリンク（ＵＬ）多地点協調（ＣｏＭＰ）送信に関与する１つまたは複数の送信点との間の経路損失（ＰＬ）を測定し、前記測定された経路損失を補償するためのアクションを行うように構成された少なくとも１つのプロセッサと、
前記少なくとも１つのプロセッサに結合されたメモリとを備える、装置。
【請求項４８】
ユーザ機器（ＵＥ）によるワイヤレス通信のための装置であって、
共通基準信号（ＣＲＳ）と、アップリンク（ＵＬ）ＣｏＭＰ送信に関与する送信点から送信されたチャネル状態情報基準信号（ＣＳＩ−ＲＳ）との両方を測定し、前記ＣＲＳと前記ＣＳＩ−ＲＳの両方に基づいてＵＬ送信に対する電力制御を実行するように構成された少なくとも１つのプロセッサと、
前記少なくとも１つのプロセッサに結合されたメモリとを備える、装置。
【請求項４９】
ユーザ機器（ＵＥ）によるワイヤレス通信のために１つまたは複数のプロセッサによって全体的に実行可能である命令を記憶したコンピュータ可読媒体を備えるプログラム製品であって、前記命令が、
ＵＥとのアップリンク（ＵＬ）多地点協調（ＣｏＭＰ）動作に関与する複数の送信点から、経路損失（ＰＬ）補償のために連携すべき送信点を選択することと、
前記選択された送信点に基づいて測定された経路損失に基づいて、１つまたは複数の送信の電力を調整することとを備える、プログラム製品。
【請求項５０】
前記送信点が、異種ネットワークを形成する異なるクラスタイプの送信点を備え、
前記選択することが、第１の電力クラスタイプの送信点と第２の電力クラスタイプの送信点との間の経路損失における相対差に少なくとも部分的に基づく、請求項４９に記載のプログラム製品。
【請求項５１】
前記第１の電力クラスタイプの前記送信点が、マクロ送信点を備え、
前記選択することが、前記マクロ送信点に対して測定された経路損失が閾値より低い場合にマクロ送信点を選択することを備える、請求項５０に記載のプログラム製品。
【請求項５２】
前記第２の電力クラスタイプの前記送信点が、ピコ送信点を備え、
前記閾値が、前記ピコ送信点の経路損失およびバイアス量に少なくとも部分的に基づいて決定される、請求項５１に記載の方法。
【請求項５３】
局による１つまたは複数のユーザ機器（ＵＥ）の送信電力を制御するために１つまたは複数のプロセッサによって全体的に実行可能である命令を記憶したコンピュータ可読媒体を備えるプログラム製品であって、前記命令が、
第１の競合ベースのランダムアクセスチャネル（ＲＡＣＨ）の送信電力を調整するために、第１の電力制御アルゴリズムを利用することと、
非競合ベースのＲＡＣＨの送信電力を調整するために、第２の電力制御アルゴリズムを利用することとを備える、プログラム製品。
【請求項５４】
前記第１の電力制御アルゴリズムが、前記第２の電力制御アルゴリズムが非競合ベースのＲＡＣＨの送信のための送信電力を増加させるより速く、競合ベースのＲＡＣＨの送信のための送信電力を増加させる、請求項５３に記載のプログラム製品。
【請求項５５】
前記第１の電力制御アルゴリズムが、第１のステップサイズを有する送信電力制御（ＴＰＣ）コマンドを利用し、
前記第２の電力制御アルゴリズムが、前記第１のステップサイズより大きい第２のステップサイズを有するＴＰＣコマンドを利用する、請求項５３に記載のプログラム製品。
【請求項５６】
前記第２のステップサイズの前記ＴＰＣコマンドが、ダウンリンクサブフレームのデータ領域内のリソースを利用する拡張物理ダウンリンク制御チャネル（ＰＤＣＣＨ）内でシグナリングされる、請求項５５に記載のプログラム製品。
【請求項５７】
ユーザ機器（ＵＥ）によるワイヤレス通信のために１つまたは複数のプロセッサによって全体的に実行可能である命令を記憶したコンピュータ可読媒体を備えるプログラム製品であって、前記命令が、
第１の競合ベースのランダムアクセスチャネル（ＲＡＣＨ）の送信電力を調整するために、第１の電力制御アルゴリズムを利用することと、
非競合ベースのＲＡＣＨの送信電力を調整するために、第２の電力制御アルゴリズムを利用することとを備える、プログラム製品。
【請求項５８】
前記第１の電力制御アルゴリズムが、前記第２の電力制御アルゴリズムが非競合ベースのＲＡＣＨの送信のための送信電力を増加させるより速く、競合ベースのＲＡＣＨの送信のための送信電力を増加させる、請求項５７に記載のプログラム製品。
【請求項５９】
前記第１の電力制御アルゴリズムが、第１のステップサイズを有する送信電力制御（ＴＰＣ）コマンドを利用し、
前記第２の電力制御アルゴリズムが、前記第１のステップサイズより大きい第２のステップサイズを有するＴＰＣコマンドを利用する、請求項５７に記載のプログラム製品。
【請求項６０】
前記第２のステップサイズの前記ＴＰＣコマンドが、ダウンリンクサブフレームのデータ領域内のリソースを利用する拡張物理ダウンリンク制御チャネル（ＰＤＣＣＨ）内でシグナリングされる、請求項５９に記載のプログラム製品。
【請求項６１】
局による１つまたは複数のユーザ機器（ＵＥ）の送信電力を制御するための１つまたは複数のプロセッサによって全体的に実行可能である命令を記憶したコンピュータ可読媒体を備えるプログラム製品であって、前記命令が、
ＵＥのモビリティを決定することと、
前記決定されたモビリティに基づいて前記ＵＥからの送信の電力の制御に使用するための電力制御アルゴリズムを選択することとを備える、プログラム製品。
【請求項６２】
前記選択することが、
高いモビリティを決定することに応答して、開ループ（ＯＬ）電力制御をディセーブルすることを備える、請求項６１に記載のプログラム製品。
【請求項６３】
前記選択することが、
低モビリティを決定することに応答して、および前記ＵＥに対する１つまたは複数のＵＬの送信点が、前記ＵＥに対するＤＬの送信点と同じである場合に、開ループ（ＯＬ）電力制御を利用することを備える、請求項６１に記載のプログラム製品。
【請求項６４】
前記選択することが、
低モビリティを決定することに応答して、および前記ＵＥに対する１つまたは複数のＵＬの送信点が、前記ＵＥに対するＤＬの送信点と同じでない場合に、閉ループ（ＣＬ）電力制御を利用することを備える、請求項６１に記載のプログラム製品。
【請求項６５】
前記選択することが、
低モビリティを決定することに応答して、および前記ＵＥに対する前記１つまたは複数のＵＬの送信点が、前記ＵＥに対するＤＬの送信点と同じでない場合に、閉ループ（ＣＬ）と開ループ（ＯＬ）の両方の電力制御を利用することを備える、請求項６１に記載のプログラム製品。
【請求項６６】
ユーザ機器（ＵＥ）によるワイヤレス通信のために１つまたは複数のプロセッサによって全体的に実行可能である命令を記憶したコンピュータ可読媒体を備えるプログラム製品であって、前記命令が、
前記ＵＥとのアップリンク（ＵＬ）多地点協調（ＣｏＭＰ）送信に関与する複数の送信点に対する経路損失（ＰＬ）を測定することと、
ＰＬ補償を適用するために送信点のうちの１つを前記ＰＬ測定値に基づいて選択することとを備える、プログラム製品。
【請求項６７】
前記選択することが、
ＰＬ補償を適用するために最小経路損失を有する送信点を選択することを備える、請求項６６に記載のプログラム製品。
【請求項６８】
前記測定することが、
少なくとも１つの第２のセルから共通基準信号（ＣＲＳ）の干渉除去（ＩＣ）を実行することによって第１のセルからＣＲＳを測定することを備える、請求項６７に記載のプログラム製品。
【請求項６９】
前記命令が、
ＵＬ  ＣｏＭＰ送信に関与する送信点のセットと、送信点の前記セットに対する対応する電力設定とを示すシグナリングを受信することをさらに備える、請求項６７に記載のプログラム製品。
【請求項７０】
前記測定することが、
ＵＬ  ＣｏＭＰ動作に関与する送信点の前記セットから送信されたチャネル状態情報基準信号（ＣＳＩ-ＲＳ）を測定することを備える、請求項６７に記載のプログラム製品。
【請求項７１】
前記命令が、
ＣＳＩ-ＲＳポートのリストと、送信点の前記セットに対する対応する電力設定とを示すシグナリングを受信することをさらに備える、請求項７０に記載のプログラム製品。
【請求項７２】
前記シグナリングが、ＤＬ  ＣｏＭＰ測定値およびＵＬ  ＣｏＭＰ測定値に固有のＣＳＩ-ＲＳポートの分離したセットを示す、請求項７１に記載のプログラム製品。
【請求項７３】
基地局によるワイヤレス通信のために１つまたは複数のプロセッサによって全体的に実行可能である命令を記憶したコンピュータ可読媒体を備えるプログラム製品であって、前記命令が、
ユーザ機器（ＵＥ）と、前記ＵＥとのアップリンク（ＵＬ）多地点協調（ＣｏＭＰ）送信に関与する１つまたは複数の送信点との間の経路損失（ＰＬ）を測定することと、
前記測定された経路損失を補償するためのアクションを行うこととを備える、プログラム製品。
【請求項７４】
前記アクションが、
電力シェーピングアルゴリズムを実行することを備える、請求項７３に記載のプログラム製品。
【請求項７５】
前記電力シェーピングアルゴリズムが、部分的経路損失補償ベースのレートシェーピングを達成するように前記ＵＥ送信電力を調整するために、１つまたは複数の送信電力制御（ＴＰＣ）コマンドを送信することを備える、請求項７４に記載のプログラム製品。
【請求項７６】
前記測定することが、受信された信号電力、前記ＵＥの最大送信電力、および前記ＵＥの電力ヘッドルーム報告に基づいてＰＬを計算することを備える、請求項７３に記載のプログラム製品。
【請求項７７】
前記アクションが、
１つまたは複数の他のＵＥを制御することによって前記１つまたは複数の他のＵＥによって引き起こされる、前記ＵＥに対する干渉を低減することを備える、請求項７３に記載のプログラム製品。
【請求項７８】
ユーザ機器（ＵＥ）によるワイヤレス通信のために１つまたは複数のプロセッサによって全体的に実行可能である命令を記憶したコンピュータ可読媒体を備えるプログラム製品であって、前記命令が、
共通基準信号（ＣＲＳ）と、アップリンク（ＵＬ）ＣｏＭＰ送信に関与する送信点から送信されたチャネル状態情報基準信号（ＣＳＩ-ＲＳ）との両方を測定することと、
前記ＣＲＳと前記ＣＳＩ-ＲＳの両方に基づいてＵＬ送信のための電力制御を実行することとを備える、プログラム製品。
【請求項７９】
前記ＣＲＳと前記ＣＳＩ-ＲＳの両方に基づいてＵＬ送信のための電力制御を実行することが、
ＣＲＳに基づいて経路損失（ＰＬ）を測定することと、
ＣＳＩ-ＲＳに基づいて開ループ（ＯＬ）電力制御を使用するかどうかを判断することとを備える、請求項７８に記載のプログラム製品。
【請求項８０】
前記ＣＲＳと前記ＣＳＩ-ＲＳの両方に基づいてＵＬ送信のための電力制御を実行することが、
ＣＲＳに基づいて複数の送信点に対する経路損失（ＰＬ）を測定することと、
ＣＳＩ-ＲＳに基づいて電力制御のために、どのＰＬを使用するかを判断することとを備える、請求項７８に記載のプログラム製品。
【請求項８１】
前記命令が、
ＣＳＩ-ＲＳに基づいて１つまたは複数のセルを検出することと、
前記１つまたは複数のセルを検出した後、ＣＲＳ干渉除去（ＣＲＳ-ＩＣ）をイネーブルすることとをさらに備える、請求項７８に記載のプログラム製品。
【請求項８２】
前記ＣＲＳと前記ＣＳＩ-ＲＳの両方に基づいてＵＬ送信のための電力制御を実行することが、
ＣＲＳに基づいてベース経路損失（ＰＬ）を測定することと、
ＣＳＩ-ＲＳに基づいて経路損失（ＰＬ）における差を測定することとを備える、請求項７８に記載のプログラム製品。
【発明の詳細な説明】
【技術分野】
【０００１】
米国特許法第１１９条に基づく優先権の主張
[0001]  本出願は、その全体が参照により本明細書に組み込まれる、２０１２年１月３０日に出願された米国仮特許出願第６１／５９２，４２７号の優先権を主張する。
【０００２】
[0002]  本開示のいくつかの態様は、概して、ワイヤレス通信に関し、より詳細には、アップリンク多地点協調（ＣｏＭＰ：coordinated multipoint）送信における電力制御管理のための技法に関する。
【背景技術】
【０００３】
[0003]  ワイヤレス通信ネットワークは、ボイス、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークとすることができる。そのような多元接続ネットワークの例には、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
[0004]  ワイヤレス通信ネットワークは、いくつかのユーザ機器（ＵＥ：user equipment）の通信をサポートすることができるいくつかの基地局を含むことができる。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【０００５】
[0005]  基地局は、ＵＥにダウンリンク上でデータおよび制御情報を送信し得、および／またはＵＥからアップリンク上でデータおよび制御情報を受信し得る。ダウンリンク上では、基地局からの送信では、隣接基地局からの送信により干渉を観測する可能性がある。アップリンク上では、ＵＥからの送信は、隣接基地局と通信する他のＵＥからの送信に対して干渉を引き起こす可能性がある。干渉は、ダウンリンクとアップリンクの両方で性能を劣化させるおそれがある。
【発明の概要】
【０００６】
[0006]  本開示のいくつかの態様は、多地点協調（ＣｏＭＰ）システムにおける経路損失補償（path loss compensation）のための技法、対応する装置、およびプログラム製品を提供する。
【０００７】
[0007]  いくつかの態様は、ユーザ機器（ＵＥ）によるワイヤレス通信が経路損失の差を補償する方法を提供する。方法は、概して、ＵＥとのアップリンク（ＵＬ）多地点協調（ＣｏＭＰ）動作に関与する複数の送信点から、経路損失（ＰＬ：path loss）補償のために連携すべき送信点を選択することと、選択された送信点に基づいて測定された経路損失に基づいて１つまたは複数の送信の電力を調整することとを含む。
【０００８】
[0008]  いくつかの態様は、基地局（たとえば、ｅＮＢまたは他のタイプの送信点）によるワイヤレス通信が経路損失を補償する方法を提供する。方法は、概して、ＵＥから送信される第１の競合ベースのランダムアクセスチャネル（ＲＡＣＨ）の送信電力を調整するために第１の電力制御アルゴリズムを利用することと、非競合ベースのＲＡＣＨの送信電力を調整するために第２の電力制御アルゴリズムを利用することとを含む。
【０００９】
[0009]  いくつかの態様は、ユーザ機器（ＵＥ）によるワイヤレス通信が経路損失の差を補償する方法を提供する。方法は、概して、基地局への第１の競合ベースのランダムアクセスチャネル（ＲＡＣＨ）の送信電力を調整するために第１の電力制御アルゴリズムを利用することと、非競合ベースのＲＡＣＨの送信電力を調整するために第２の電力制御アルゴリズムを利用することとを含む。
【００１０】
[0010]  いくつかの態様は、基地局によるワイヤレス通信が経路損失を補償する方法を提供する。方法は、概して、ＵＥのモビリティを決定することと、決定されたモビリティに基づいてＵＥからの送信の電力の制御に使用するための電力制御アルゴリズムを選択することとを含む。
【００１１】
[0011]  いくつかの態様は、ユーザ機器（ＵＥ）によるワイヤレス通信が経路損失を補償する方法を提供する。方法は、概して、ＵＥとのアップリンク（ＵＬ）多地点協調（ＣｏＭＰ）送信に関与する複数の送信点に対する経路損失（ＰＬ）を測定することと、ＰＬ補償を適用するために送信点のうちの１つをＰＬ測定値に基づいて選択することとを含む。
【００１２】
[0012]  いくつかの態様は、基地局によるワイヤレス通信が経路損失を補償する方法を提供する。方法は、概して、ユーザ機器（ＵＥ）と、ＵＥとのアップリンク（ＵＬ）多地点協調（ＣｏＭＰ）送信に関与する１つまたは複数の送信点との間の経路損失（ＰＬ）を測定することと、測定された経路損失を補償するためのアクションを行うこととを含む。
【００１３】
[0013]  いくつかの態様は、ユーザ機器（ＵＥ）によるワイヤレス通信が経路損失を補償する方法を提供する。方法は、概して、共通基準信号（ＣＲＳ：common reference signal）と、アップリンク（ＵＬ）ＣｏＭＰ送信に関与する送信点から送信されたチャネル状態情報基準信号（ＣＳＩ−ＲＳ：channel state information reference signal）との両方を測定することと、ＣＲＳとＣＳＩ−ＲＳの両方に基づいてＵＬ送信に対する電力制御を実行することとを含む。
【００１４】
[0014]  本開示の様々な態様および特徴について以下でさらに詳細に説明する。
【図面の簡単な説明】
【００１５】
【図１】[0015]  本開示のいくつかの態様による、ワイヤレス通信ネットワークの一例を概念的に示すブロック図。
【図２】[0016]  本開示のいくつかの態様による、ワイヤレス通信ネットワークにおけるフレーム構造の一例を概念的に示すブロック図。
【図２Ａ】[0017]  本開示のいくつかの態様による、Ｌｏｎｇ  Ｔｅｒｍ  Ｅｖｏｌｕｔｉｏｎ（ＬＴＥ）におけるアップリンクのための例示的なフォーマットを示す図。
【図３】[0018]  本開示のいくつかの態様による、ワイヤレス通信ネットワーク内のユーザ機器デバイス（ＵＥ）と通信するノードＢの一例を概念的に示すブロック図。
【図４】[0019]  本開示のいくつかの態様による、例示的な異種ネットワーク（ＨｅｔＮｅｔ）を示す図。
【図５】[0020]  本開示のいくつかの態様による、異種ネットワークにおける例示的なリソース区分（resource partitioning）を示す図。
【図６】[0021]  本開示のいくつかの態様による、異種ネットワークにおけるサブフレームの例示的な協働区分（cooperative partitioning）を示す図。
【図７】[0022]  本開示のいくつかの態様による、多地点協調（ＣｏＭＰ）送信の例示的なシナリオを示す図。
【図８】[0023]  本開示のいくつかの態様による、多地点協調（ＣｏＭＰ）送信の別の例示的なシナリオを示す図。
【図９】[0024]  本開示の態様による、ユーザ機器（ＵＥ）によって実行され得る例示的な動作を示す図。
【図１０】[0025]  本開示の態様による、経路損失を補償するために、たとえば、基地局によって実行され得る例示的な動作を示す図。
【図１１】[0026]  本開示の態様による、経路損失を補償するために、たとえば、ＵＥによって実行され得る例示的な動作を示す図。
【図１２】[0027]  本開示の態様による、経路損失を補償するために、たとえば、基地局によって実行され得る例示的な動作を示す図。
【図１３】[0028]  本開示の態様による、経路損失を補償するために、たとえば、ＵＥによって実行され得る例示的な動作を示す図。
【図１４】[0029]  本開示の態様による、経路損失を補償するために、たとえば、基地局によって実行され得る例示的な動作を示す図。
【図１５】[0030]  本開示の態様による、経路損失を補償するために、たとえば、ＵＥによって実行され得る例示的な動作を示す図。
【発明を実施するための形態】
【００１６】
[0031]  本明細書で説明する技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークに使用できる。「ネットワーク」および「システム」という用語は、しばしば互換的に使用される。ＣＤＭＡネットワークは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実施することができる。ＵＴＲＡは、Ｗｉｄｅｂａｎｄ  ＣＤＭＡ（ＷＣＤＭＡ（登録商標））およびＣＤＭＡの他の変形態を含む。ｃｄｍａ２０００は、ＩＳ−２０００、ＩＳ−９５およびＩＳ−８５６規格をカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）（登録商標）などの無線技術を実施することができる。ＯＦＤＭＡネットワークは、発展型ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ（登録商標）などといった無線技術を実施することができる。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）およびＬＴＥ−Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の組織からの文書に記載されている。ｃｄｍａ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名称の組織からの文書に記載されている。本明細書で説明する技法は、上記のワイヤレスネットワークおよび無線技術、ならびに他のワイヤレスネットワークおよび無線技術に使用できる。明確にするために、本技法のいくつかの態様について以下ではＬＴＥに関して説明し、以下の説明の大部分でＬＴＥ用語を使用する。
【００１７】
ワイヤレス・ネットワーク例
[0032]  図１に、ワイヤレス通信ネットワーク１００を示し、これはＬＴＥネットワークであり得る。ワイヤレスネットワーク１００は、いくつかの発展型ノードＢ（ｅＮＢ）１１０と他のネットワークエンティティとを含み得る。ｅＮＢは、ユーザ機器デバイス（ＵＥ）と通信する局であり得、基地局、ノードＢ、アクセスポイントなどと呼ばれることもある。各ｅＮＢ  １１０は、特定の地理的エリアに対して通信カバレージを提供することができる。３ＧＰＰでは、「セル」という用語は、この用語が使用される状況に応じて、ｅＮＢのカバレージエリアおよび／またはこのカバレージエリアにサービスしているｅＮＢサブシステムを指すことがある。
【００１８】
[0033]  ｅＮＢは、マクロセル、ピコセル、フェムトセル、および／または他のタイプのセルに通信カバレージを提供し得る。マクロセルは、比較的大きい地理的エリア（たとえば、半径数キロメートル）をカバーし、サービスに加入しているＵＥによる無制限アクセスを可能にする。ピコセルは、比較的小さい地理的エリアをカバーし、サービスに加入しているＵＥによる無制限アクセスを可能にする。フェムトセルは、比較的小さい地理的エリア（たとえば、自宅）をカバーし得、フェムトセルとの関連を有するＵＥ（たとえば、限定加入者グループ（ＣＳＧ：Closed Subscriber Group）中のＵＥ、自宅内のユーザのためのＵＥなど）による限定アクセスを可能にし得る。マクロセルのためのｅＮＢをマクロｅＮＢと称することができる（すなわちマクロセル基地局）。ピコセルのためのｅＮＢをピコｅＮＢと称することができる（すなわちピコ基地局）。フェムトセルのためのｅＮＢをフェムトｅＮＢ（すなわちフェムト基地局）またはホームｅＮＢと呼ぶ。図１に示す例では、ｅＮＢ  １１０ａ、１１０ｂ、および１１０ｃは、それぞれマクロセル１０２ａ、１０２ｂ、および１０２ｃのためのマクロｅＮＢであり得る。ｅＮＢ  １１０ｘは、ピコセル１０２ｘのためのピコｅＮＢであり得る。ｅＮＢ  １１０ｙおよび１１０ｚは、それぞれフェムトセル１０２ｙおよび１０２ｚのためのフェムトｅＮＢであり得る。ｅＮＢは、１つまたは複数の（たとえば、３つの）セルをサポートすることができる。
【００１９】
[0034]  ワイヤレスネットワーク１００はまた、中継局を含み得る。中継局は、上流局（たとえば、ｅＮＢまたはＵＥ）からデータおよび／または他の情報の送信を受信し、そのデータおよび／または他の情報の送信を下流局（たとえば、ＵＥまたはｅＮＢ）に送る局である。中継局はまた、他のＵＥに対する送信を中継するＵＥとすることができる。図１に示す例では、中継局１１０ｒは、ｅＮＢ  １１０ａとＵＥ  １２０ｒとの間の通信を容易にするために、ｅＮＢ  １１０ａおよびＵＥ  １２０ｒと通信し得る。中継局は、リレーｅＮＢ、リレーなどと呼ばれることもある。
【００２０】
[0035]  ワイヤレスネットワーク１００は、様々なタイプのｅＮＢ、たとえば、マクロｅＮＢ、ピコｅＮＢ、フェムトｅＮＢ、リレーなどを含む異種ネットワーク（ＨｅｔＮｅｔ）であり得る。これらの様々なタイプのｅＮＢは、様々な送信電力レベル、様々なカバレージエリア、およびワイヤレスネットワーク１００中の干渉に対する様々な影響を有し得る。たとえば、マクロｅＮＢは、高い送信電力レベル（たとえば、２０ワット）を有し得るが、ピコｅＮＢ、フェムトｅＮＢ、およびリレーは、より低い送信電力レベル（たとえば、１ワット）を有し得る。
【００２１】
[0036]  ワイヤレスネットワーク１００は、同期動作または非同期動作をサポートし得る。同期動作の場合、ｅＮＢは同様のフレームタイミングを有し得、異なるｅＮＢからの送信は近似的に時間的に整合され得る。非同期動作の場合、ｅＮＢは異なるフレームタイミングを有し得、異なるｅＮＢからの送信は時間的に整合されないことがある。本明細書で説明する技法は、同期動作と非同期動作の両方のために使用され得る。
【００２２】
[0037]  ネットワークコントローラ１３０は、ｅＮＢのセットに結合し、これらのｅＮＢの協調および制御を行い得る。ネットワークコントローラ１３０は、バックホール（backhaul）を介してｅＮＢ  １１０と通信し得る。ｅＮＢ  １１０はまた、たとえば、ワイヤレスバックホールまたはワイヤラインバックホールを介して直接または間接的に互いに通信し得る。
【００２３】
[0038]  ＵＥ  １２０は、ワイヤレスネットワーク１００全体にわたって分散され得、各ＵＥは、固定でも移動でもよい。ＵＥはまた、端末、移動局、加入者装置、ステーションなどと称することもできる。ＵＥは、セルラー電話、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、タブレットなどであり得る。ＵＥは、マクロｅＮＢ、ピコｅＮＢ、フェムトｅＮＢ、リレーなどと通信することが可能であり得る。図１において、両矢印付きの実線は、ダウンリンクおよび／またはアップリンク上での、ＵＥと、そのＵＥをサービスするように指定されたｅＮＢであるサービングｅＮＢとの間の所望の送信を示す。両矢印付きの破線は、ＵＥとｅＮＢとの間の干渉送信を示す。いくつかの態様に対して、ＵＥはＬＴＥ  Ｒｅｌｅａｓｅ  １０  ＵＥを含むことができる。
【００２４】
[0039]  ＬＴＥは、ダウンリンク上では直交周波数分割多重化（ＯＦＤＭ：orthogonal frequency division multiplexing）を利用し、アップリンク上ではシングルキャリア周波数分割多重化（ＳＣ−ＦＤＭ：single-carrier frequency division multiplexing）を利用する。ＯＦＤＭおよびＳＣ−ＦＤＭは、システム帯域幅を、一般にトーン、ビンなどとも呼ばれる複数（Ｋ）個の直交サブキャリアに区分する。各サブキャリアはデータで変調され得る。一般に、変調シンボルは、ＯＦＤＭでは周波数領域で、ＳＣ−ＦＤＭでは時間領域で送られる。隣接するサブキャリア間の間隔は固定とすることができ得、サブキャリアの総数（Ｋ）はシステム帯域幅に依存することができる。たとえば、Ｋは、１．２５、２．５、５、１０、または２０メガヘルツ（ＭＨｚ）のシステム帯域幅に対してそれぞれ１２８、２５６、５１２、１０２４、または２０４８に等しくなり得る。システム帯域幅をサブバンドに区分することもできる。たとえば、サブバンドは１．０８ＭＨｚをカバーし得、１．２５、２．５、５、１０、または２０ＭＨｚのシステム帯域幅に対してそれぞれ１つ、２つ、４つ、８つ、または１６個のサブバンドがあり得る。
【００２５】
[0040]  図２に、ＬＴＥにおいて使用されるフレーム構造を示す。ダウンリンクの送信タイムラインは、無線フレームの単位に区分できる。各無線フレームは、所定の持続時間（たとえば、１０ミリ秒（ｍｓ））を有してよく、０から９のインデックスをもつ１０個のサブフレームに区分できる。各サブフレームは、２個のスロットを含み得る。したがって、各無線フレームは、０から１９のインデックスをもつ２０個のスロットを含み得る。各スロットは、Ｌ個のシンボル期間、たとえば、（図２に示すように）通常のサイクリックプレフィックス（cyclic prefix）の場合はＬ＝７個のシンボル期間、または拡張されたサイクリックプレフィックスの場合はＬ＝６個のシンボル期間を含むことができる。各サブフレーム中の２Ｌ個のシンボル期間には０〜２Ｌ−１のインデックスが割り当てられ得る。利用可能な時間周波数リソースはリソースブロックに区分できる。各リソースブロックは、１つのスロット中でＮ個のサブキャリア（たとえば、１２個のサブキャリア）をカバーし得る。
【００２６】
[0041]  ＬＴＥでは、ｅＮＢ（たとえば、ｅＮＢ１１０）は、ｅＮＢ中の各セル（たとえば、セル１０２）に関する１次同期信号（ＰＳＳ：primary synchronization signal）と２次同期信号（ＳＳＳ：secondary synchronization signal）とを送り得る。１次同期信号および２次同期信号は、図２に示すように、それぞれ、通常のサイクリックプレフィックスをもつ各無線フレームのサブフレーム０および５の各々中のシンボル期間６および５中で送られ得る。同期信号は、セル検出および捕捉のためにＵＥ（たとえば、ＵＥ１２０）によって使用され得る。ｅＮＢは、サブフレーム０のスロット１中のシンボル期間０〜３中で物理ブロードキャストチャネル（ＰＢＣＨ：Physical Broadcast Channel）を送り得る。ＰＢＣＨはあるシステム情報を搬送し得る。
【００２７】
[0042]  ｅＮＢは、図２に示すように、各サブフレームの第１のシンボル期間中に物理制御フォーマットインジケータチャネル（ＰＣＦＩＣＨ：Physical Control Format Indicator Channel）を送り得る。ＰＣＦＩＣＨは、制御チャネルのために使用されるシンボル期間の数（Ｍ）を搬送し得、Ｍは、１、２、または３に等しくなり得、サブフレームごとに変化し得る。Ｍはまた、たとえば、リソースブロックが１０個未満である、小さいシステム帯域幅では、４に等しくてもよい。ｅＮＢは、各サブフレームの最初のＭ個のシンボル期間中に物理ＨＡＲＱインジケータチャネル（ＰＨＩＣＨ：Physical HARQ Indicator Channel）と物理ダウンリンク制御チャネル（ＰＤＣＣＨ：Physical Downlink Control Channel）とを送り得る（図２に図示せず）。ＰＨＩＣＨは、ハイブリッド自動再送要求（ＨＡＲＱ：hybrid automatic repeat request）をサポートするための情報を搬送し得る。ＰＤＣＣＨは、ＵＥのためのリソース割振りに関する情報と、ダウンリンクチャネルのための制御情報とを搬送し得る。ｅＮＢは、各サブフレームの残りのシンボル期間中に物理ダウンリンク共有チャネル（ＰＤＳＣＨ：Physical Downlink Shared Channel）を送り得る。ＰＤＳＣＨは、ダウンリンク上でのデータ送信のためにスケジュールされたＵＥのためのデータを搬送し得る。ＬＴＥにおける様々な信号およびチャネルは、公開されている「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  Ｃｈａｎｎｅｌｓ  ａｎｄ  Ｍｏｄｕｌａｔｉｏｎ」と題する３ＧＰＰ  ＴＳ  ３６．２１１に記載されている。
【００２８】
[0043]  ｅＮＢは、ｅＮＢによって使用されるシステム帯域幅の中心１．０８ＭＨｚにおいてＰＳＳ、ＳＳＳ、およびＰＢＣＨを送り得る。ｅＮＢは、これらのチャネルが送られる各シンボル期間中のシステム帯域幅全体にわたってＰＣＦＩＣＨおよびＰＨＩＣＨを送り得る。ｅＮＢは、システム帯域幅のいくつかの部分においてＵＥのグループにＰＤＣＣＨを送り得る。ｅＮＢは、システム帯域幅の特定の部分において特定のＵＥにＰＤＳＣＨを送り得る。ｅＮＢは、すべてのＵＥにブロードキャスト方式でＰＳＳ、ＳＳＳ、ＰＢＣＨ、ＰＣＦＩＣＨおよびＰＨＩＣＨを送り得、特定のＵＥにユニキャスト方法でＰＤＣＣＨを送り得、また特定のＵＥにユニキャスト方法でＰＤＳＣＨを送り得る。
【００２９】
[0044]  各シンボル期間においていくつかのリソース要素が利用可能であり得る。各リソース要素は、１つのシンボル期間中の１つのサブキャリアをカバーし得、実数値または複素数値であり得る１つの変調シンボルを送るために使用され得る。各シンボル期間中で基準信号のために使用されないリソース要素は、リソース要素グループ（ＲＥＧ：resource element group）中に配置され得る。各ＲＥＧは、１つのシンボル期間中に４つのリソース要素を含み得る。ＰＣＦＩＣＨは、シンボル期間０において、周波数全体にわたってほぼ等しく離間され得る、４つのＲＥＧを占有し得る。ＰＨＩＣＨは、１つまたは複数の構成可能なシンボル期間において、周波数全体にわたって拡散され得る、３つのＲＥＧを占有し得る。たとえば、ＰＨＩＣＨのための３つのＲＥＧは、すべてシンボル期間０に属し得るか、またはシンボル期間０、１、および２に拡散され得る。ＰＤＣＣＨは、最初のＭ個のシンボル期間中に利用可能なＲＥＧから選択され得る、９個、１８個、３２個、または６４個のＲＥＧを占有し得る。ＲＥＧのいくつかの組合せのみがＰＤＣＣＨに対して可能にされ得る。
【００３０】
[0045]  ＵＥは、ＰＨＩＣＨおよびＰＣＦＩＣＨのために使用される特定のＲＥＧを知り得る。ＵＥは、ＰＤＣＣＨのためのＲＥＧの様々な組合せを探索し得る。探索する組合せの数は、一般に、ＰＤＣＣＨに対して可能にされた組合せの数よりも少ない。ｅＮＢは、ＵＥが探索することになる組合せのいずれかにおいてＵＥにＰＤＣＣＨを送り得る。
【００３１】
[0046]  図２Ａに、ＬＴＥにおけるアップリンクのための例示的なフォーマット２００Ａを示す。アップリンクのための使用可能なリソースブロックは、データセクションと制御セクションに区分することができる。制御セクションは、システム帯域幅の２つのエッジにおいて形成され得、構成可能なサイズを有し得る。制御セクション内のリソースブロックは、制御情報を送信するためにＵＥに割り当てられ得る。データセクションは、制御セクション中に含まれないすべてのリソースブロックを含み得る。図２Ａの設計は、データセクション中の連続するサブキャリアのすべてを単一のＵＥに割り当てることを可能にし得る連続サブキャリアを含むデータセクションを生じる。
【００３２】
[0047]  制御情報をｅＮＢに送信するために、ＵＥを制御セクション内のリソースブロックに割り振ることができる。ＵＥには、ｅＮＢにデータを送信するためにデータセクション中のリソースブロックも割り当てられ得る。ＵＥは、制御セクション内の割り振られたリソースブロックで物理アップリンク制御チャネル（ＰＵＣＣＨ：Physical Uplink Control Channel）２１０ａ、２１０ｂにより制御情報を送信することができる。ＵＥは、データセクション中の割り当てられたリソースブロック上の物理アップリンク共有チャネル（ＰＵＳＣＨ：Physical Uplink Shared Channel）２２０ａ、２２０ｂ中でデータのみまたはデータと制御情報の両方を送信し得る。アップリンク送信は、サブフレームの両方のスロットにわたり得、図２Ａに示すように周波数全体にわたってホッピングし得る。
【００３３】
[0048]  ＵＥは、複数のｅＮＢのカバレージ内にあり得る。そのＵＥをサービスするために、これらのｅＮＢのうちの１つが選択され得る。サービングｅＮＢは、受信電力、経路損失、信号対雑音比（ＳＮＲ）など、様々な基準に基づいて選択され得る。
【００３４】
[0049]  ＵＥは、ＵＥが１つまたは複数の干渉ｅＮＢからの大きな干渉を観測し得る、支配的干渉シナリオ（dominant interference scenario）において動作し得る。支配的干渉シナリオは、制限された関連付けにより発生し得る。たとえば、図１では、ＵＥ  １２０ｙは、フェムトｅＮＢ  １１０ｙに近接し得、ｅＮＢ  １１０ｙについて高い受信電力を有し得る。しかしながら、ＵＥ  １２０ｙは、制限された関連付けによりフェムトｅＮＢ  １１０ｙにアクセスすることができないことがあり、次いで、（図１に示すように）より低い受信電力をもつマクロｅＮＢ  １１０ｃまたはやはりより低い受信電力をもつフェムトｅＮＢ  １１０ｚ（図１に図示せず）に接続し得る。その場合、ＵＥ  １２０ｙは、ダウンリンク上でフェムトｅＮＢ  １１０ｙからの高い干渉を観測することがあり得、また、アップリンク上でｅＮＢ  １１０ｙに高い干渉を引き起こし得る。
【００３５】
[0050]  支配的干渉シナリオはまた、範囲拡張により発生し得、これは、ＵＥが、ＵＥによって検出されたすべてのｅＮＢのうち、より低い経路損失とより低いＳＮＲとをもつｅＮＢに接続するシナリオである。たとえば、図１では、ＵＥ  １２０ｘは、マクロｅＮＢ  １１０ｂとピコｅＮＢ  １１０ｘとを検出し得、ｅＮＢ  １１０ｘについて、ｅＮＢ  １１０ｂよりも低い受信電力を有し得る。とはいえ、ｅＮＢ  １１０ｘの経路損失がマクロｅＮＢ  １１０ｂの経路損失よりも低い場合、ＵＥ  １２０ｘはピコｅＮＢ  １１０ｘに接続することが望ましいことがある。これにより、ＵＥ  １２０ｘの所与のデータレートに対してワイヤレスネットワークへの干渉が少なくなり得る。
【００３６】
[0051]  一態様では、支配的干渉シナリオにおける通信は、異なるｅＮＢを異なる周波数帯域上で動作させることによってサポートされ得る。周波数帯域は、通信のために使用され得る周波数範囲であり、（ｉ）中心周波数および帯域幅、または（ｉｉ）より低い周波数およびより高い周波数によって与えられ得る。周波数帯域は、帯域、周波数チャネルなどと呼ばれることもある。異なるｅＮＢのための周波数帯域は、強いｅＮＢがそれのＵＥと通信することを可能にしながら、ＵＥが支配的干渉シナリオにおいてより弱いｅＮＢと通信することができるように選択され得る。ｅＮＢは、ＵＥにおいて受信されるｅＮＢからの信号の受信電力に基づいて（ｅＮＢの送信電力レベルには基づかずに）「弱い（weak）」ｅＮＢまたは「強い（strong）」ｅＮＢとして分類され得る。
【００３７】
[0052]  図３は、図１の基地局／ｅＮＢのうちの１つであり得る基地局またはｅＮＢ  １１０および図１のＵＥのうちの１つであり得るＵＥ  １２０の設計のブロック図である。制限付き関連付けシナリオの場合、ｅＮＢ  １１０は図１のマクロｅＮＢ  １１０ｃであり得、ＵＥ  １２０はＵＥ  １２０ｙであり得る。ｅＮＢ  １１０はまた、何らかの他のタイプの基地局であり得る。ｅＮＢ  １１０は、Ｔ個のアンテナ３３４ａ〜３３４ｔを装備し得、ＵＥ  １２０は、Ｒ個のアンテナ３５２ａ〜３５２ｒを装備し得、概して、Ｔ≧１およびＲ≧１である。
【００３８】
[0053]  ｅＮＢ  １１０において、送信プロセッサ３２０は、データソース３１２からデータを受信し、コントローラ／プロセッサ３４０から制御情報を受信し得る。制御情報は、ＰＢＣＨ、ＰＣＦＩＣＨ、ＰＨＩＣＨ、ＰＤＣＣＨなどのためのものであり得る。データは、ＰＤＳＣＨなどのためのものであり得る。送信プロセッサ３２０は、データと制御情報とを処理（たとえば、符号化およびシンボルマッピング）し、データシンボルと制御シンボルとをそれぞれ取得することができる。送信プロセッサ３２０は、たとえば、ＰＳＳ、ＳＳＳ、およびセル特有の基準信号に対する基準シンボルを生成することもできる。送信（ＴＸ）多入力多出力（ＭＩＭＯ）プロセッサ３３０は、適用可能な場合、データシンボル、制御シンボル、および／または基準シンボルに対して空間処理（たとえば、プリコーディング）を実行し得、Ｔ個の出力シンボルストリームをＴ個の変調器（ＭＯＤ）３３２ａ〜３３２ｔに供給し得る。各変調器３３２は、（たとえば、ＯＦＤＭなどの）それぞれの出力シンボルストリームを処理して出力サンプルストリームを取得し得る。各変調器３３２はさらに、ダウンリンク信号を取得するために、出力サンプルストリームを処理（たとえば、アナログへの変換、増幅、フィルタ処理、およびアップコンバート）することができる。変調器３３２ａ〜３３２ｔからのＴ個のダウンリンク信号は、それぞれＴ個のアンテナ３３４ａ〜３３４ｔを介して送信され得る。
【００３９】
[0054]  ＵＥ  １２０において、アンテナ３５２ａ〜３５２ｒは、ｅＮＢ  １１０からダウンリンク信号を受信し得、受信信号をそれぞれ復調器（ＤＥＭＯＤ）３５４ａ〜３５４ｒに供給し得る。各復調器３５４は、それぞれの受信信号を調整（たとえば、フィルタ処理、増幅、ダウンコンバート、およびデジタル化）して、入力サンプルを得ることができる。各復調器３５４はさらに、（たとえば、ＯＦＤＭなどの）入力サンプルを処理して受信シンボルを取得し得る。ＭＩＭＯ検出器３５６は、Ｒ個の復調器３５４ａ〜３５４ｒのすべてから受信シンボルを取得し、適用可能な場合は受信シンボルに対してＭＩＭＯ検出を実行し、検出されたシンボルを供給し得る。受信プロセッサ３５８は、検出されたシンボルを処理（たとえば、復調、デインターリーブ、および復号）し、ＵＥ  １２０の復号されたデータをデータシンク３６０に与え、復号された制御情報をコントローラ／プロセッサ３８０に与え得る。
【００４０】
[0055]  アップリンク上では、ＵＥ  １２０において、送信プロセッサ３６４は、データソース３６２から（たとえば、ＰＵＳＣＨのための）データを受信し、処理し得、コントローラ／プロセッサ３８０から（たとえば、ＰＵＣＣＨのための）制御情報を受信し、処理し得る。送信プロセッサ３６４はまた、基準信号のための基準シンボルを生成し得る。送信プロセッサ３６４からのシンボルは、適用可能な場合はＴＸ  ＭＩＭＯプロセッサ３６６によってプリコードされ、さらに（たとえば、ＳＣ−ＦＤＭなどのために）変調器３５４ａ〜３５４ｒによって処理され、ｅＮＢ  １１０に送信され得る。ｅＮＢ  １１０において、ＵＥ  １２０からのアップリンク信号は、アンテナ３３４によって受信され、復調器３３２によって処理され、適用可能な場合はＭＩＭＯ検出器３３６によって検出され、さらに受信プロセッサ３３８によって処理されて、ＵＥ  １２０によって送られた復号されたデータおよび制御情報が取得され得る。受信プロセッサ３３８は、復号されたデータをデータシンク３３９に供給し、復号された制御情報をコントローラ／プロセッサ３４０に供給し得る。
【００４１】
[0056]  コントローラ／プロセッサ３４０および３８０は、それぞれｅＮＢ  １１０における動作およびＵＥ  １２０における動作を指示し得る。ｅＮＢ  １１０におけるコントローラ／プロセッサ３４０、受信プロセッサ３３８および／または他のプロセッサとモジュールとは、本明細書で説明する技法に対する図８の動作８００および／または他の処理を実行するかまたは指示することができる。メモリ３４２および３８２は、それぞれｅＮＢ  １１０およびＵＥ  １２０のためのデータおよびプログラムコードを記憶し得る。スケジューラ３４４は、ダウンリンク上および／またはアップリンク上でのデータ送信のためにＵＥをスケジュールし得る。
【００４２】
例示的なリソース区分
[0057]  本開示のいくつかの態様によれば、ネットワークが拡張セル間干渉協調（ｅＩＣＩＣ：enhanced inter-cell interference coordination）をサポートするとき、基地局は、干渉セルがそれのリソースの一部を断念することによって干渉を低減または解消するために、リソースを協調させるために互いにネゴシエートし得る。この干渉協調によれば、ＵＥは、干渉セルによってもたらされるリソースを使用することによる厳しい干渉があってもサービングセルにアクセスすることが可能であり得る。
【００４３】
[0058]  たとえば、オープンマクロセルのカバレージエリア中の、クローズドアクセスモードにあるフェムトセル（すなわち、メンバーフェムトＵＥだけがこのセルにアクセスすることができる）は、リソースをもたらすことおよび干渉を効果的に除去することによって、マクロセルの（フェムトセルのカバレージエリア内に）「カバレージホール（coverage hole）」を生成することが可能であり得る。フェムトセルがリソースをもたらすことについてネゴシエートすることによって、フェムトセルカバレージエリアの下のマクロＵＥは、これらのもたらされるリソースを使用してＵＥのサービングマクロセルにアクセスすることが依然として可能であり得る。
【００４４】
[0059]  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）など、ＯＦＤＭを使用する無線アクセスシステムでは、もたらされるリソースは、時間ベース、周波数ベース、または両方の組合せであり得る。協調リソース区分（coordinated resource partitioning）が時間ベースであるとき、干渉セルは、時間領域においてサブフレームの一部を単に使用しないことがある。協調リソース区分が周波数ベースであるとき、干渉セルは、周波数領域においてサブキャリアをもたらし得る。周波数と時間の両方の組合せによって、干渉セルは、周波数リソースおよび時間リソースをもたらし得る。
【００４５】
[0060]  図４に、ｅＩＣＩＣは、実線の無線リンク４０２によって示されるように、マクロＵＥ  １２０ｙがフェムトセルｙから厳しい干渉を受けているときでも、ｅＩＣＩＣをサポートするマクロＵＥ  １２０ｙ（たとえば、図４に示すようなＲｅｌ−１０マクロＵＥ）がマクロセル１１０ｃにアクセスすることを可能にし得る例示的なシナリオを示す。破線の無線リンク４０４によって示されるように、レガシーマクロＵＥ  １２０ｕ（たとえば、図４に示すようなＲｅｌ−８マクロＵＥ）は、フェムトセル１１０ｙからの厳しい干渉下でマクロセル１１０ｃにアクセスすることができないことがある。フェムトＵＥ  １２０ｖ（たとえば、図４に示すようなＲｅｌ−８フェムトＵＥ）は、マクロセル１１０ｃからのいかなる干渉問題もなしにフェムトセル１１０ｙにアクセスし得る。
【００４６】
[0061]  いくつかの態様によれば、ネットワークはｅＩＣＩＣをサポートし得、区分情報の様々なセットがあり得る。これらのセットのうちの第１のものを、半静的リソース区分情報（ＳＲＰＩ：Semi-Static Resource Partitioning information）と呼ぶことがある。これらのセットのうちの第２のものを、適応型リソース区分情報（ＡＲＰＩ：Adaptive Resource Partitioning information）と呼ぶことがある。文字通り、ＳＲＰＩは、一般に、頻繁に変化せず、ＳＲＰＩはＵＥに送られ得、したがって、ＵＥは、ＵＥ自体の動作のためにリソース区分情報を使用することができる。
【００４７】
[0062]  一例として、リソース区分は、８ｍｓの周期性（８つのサブフレーム）または４０ｍｓの周期性（４０個のサブフレーム）で実装され得る。いくつかの態様によれば、周波数リソースも区分され得るように周波数分割複信（ＦＤＤ）も適用され得ると仮定され得る。（たとえば、セルノードＢからＵＥへの）ダウンリンクを介した通信の場合、区分パターンは、知られているサブフレーム（たとえば、４などの整数Ｎの倍数であるシステムフレーム番号（ＳＦＮ：system frame number）値を有する各無線フレームの第１のサブフレーム）にマッピングされ得る。そのようなマッピングは、特定のサブフレームのリソース区分情報（ＲＰＩ）を判断するために適用され得る。一例として、ダウンリンクについての（たとえば、干渉セルによってもたらされる）協調リソース区分の対象となるサブフレームは、次のインデックスによって識別され得る。
【数１】
2015521392.tif 000003
【００４８】
[0063]  アップリンクについては、ＳＲＰＩマッピングは、たとえば、４ｍｓだけシフトされ得る。したがって、アップリンクについての例には、以下があり得る。
【数２】
2015521392.tif 000004
【００４９】
[0064]  ＳＲＰＩは、各エントリ対して以下の３つの値を使用し得る。
【００５０】
・  Ｕ（使用）：この値は、サブフレームが、このセルによって使用されるべき支配的干渉からクリーンアップされていること（すなわち、主要な干渉セルがこのサブフレームを使用しないこと）を示す。
【００５１】
・  Ｎ（使用しない）：この値は、サブフレームが使用されないことを示す。
【００５２】
・  Ｘ（未知）：この値は、サブフレームが静的に区分されないことを示す。基地局間のリソース使用量ネゴシエーションの詳細はＵＥには知られない。
【００５３】
[0065]  ＳＲＰＩの別の可能なパラメータのセットには、以下があり得る。
【００５４】
・  Ｕ（使用）：この値は、サブフレームが、このセルによって使用されるべき支配的干渉からクリーンアップされていること（すなわち、主要な干渉セルがこのサブフレームを使用しないこと）を示す。
【００５５】
・  Ｎ（使用しない）：この値は、サブフレームが使用されないことを示す。
【００５６】
・  Ｘ（未知）：この値は、サブフレームが静的に区分されないことを示す（基地局間のリソース使用量ネゴシエーションの詳細はＵＥには知られない）。
【００５７】
・  Ｃ（共通）：この値は、すべてのセルがリソース区分なしにこのサブフレームを使用し得ることを示し得る。このサブフレームは干渉を受け得、したがって、基地局は、厳しい干渉を受けていないＵＥのためにのみこのサブフレームを使用することを選択し得る。
【００５８】
[0066]  サービングセルのＳＲＰＩは、無線でブロードキャストされ得る。Ｅ−ＵＴＲＡＮでは、サービングセルのＳＲＰＩは、マスタ情報ブロック（ＭＩＢ：master information block）中でまたはシステム情報ブロック（ＳＩＢ：system information block）のうちの１つ中で送られ得る。事前定義されるＳＲＰＩは、セル、たとえば、マクロセル、ピコセル（オープンアクセスの場合）、およびフェムトセル（クローズドアクセスの場合）の特性に基づいて定義され得る。そのような場合、システムオーバヘッドメッセージにおけるＳＲＰＩの符号化の結果として、無線でのブロードキャストがより効率的に行われ得る。
【００５９】
[0067]  基地局はまた、ＳＩＢのうちの１つにおいてネイバーセルのＳＲＰＩをブロードキャストし得る。この場合、ＳＲＰＩは、それの対応する範囲の物理セル識別情報（ＰＣＩ：physical cell identity）を用いて送られ得る。
【００６０】
[0068]  ＡＲＰＩは、ＳＲＰＩ中の「Ｘ」サブフレームについての詳細情報を伴うさらなるリソース区分情報を表し得る。上記のように、「Ｘ」サブフレームについての詳細情報は、一般に、基地局のみに知られ、ＵＥはそれを知らない。
【００６１】
[0069]  図５および図６に、マクロセルおよびフェムトセルを用いたシナリオにおけるＳＲＰＩ割当ての例を示す。Ｕ、Ｎ、ＸまたはＣサブフレームは、Ｕ、Ｎ、ＸまたはＣ  ＳＲＰＩ割当てに対応するサブフレームである。
【００６２】
アップリンクＣｏＭＰ−電力制御管理
[0070]  現在のＣｏＭＰ配備シナリオ、たとえば、シナリオ−３またはシナリオ−４では、ダウンリンク（ＤＬ：downlink）サービングセルとアップリンク（ＵＬ：uplink）サービングセルとの間に経路損失（ＰＬ：pathloss）の不一致が存在する。ＵＬおよびＤＬのサービングセルが不一致である場合、ＰＬ補償に基づく開ループ電力制御（ＯＬＰＣ：open loop power control）は正しくない。異なる方式でＰＬ補償が実行され得る多様なシナリオが考えられ得、シナリオ−３およびシナリオ−４が以下で説明される。
【００６３】
[0071]  いくつかのシナリオでは、（たとえば、１つの送信点から送信されたデータと別の送信点から送信された制御とに対して）制御とデータとを分離することは、ＨｅｔＮｅｔ  ＣｏＭＰに関して比較的重要であることがある。１つのそのようなシナリオはＣｏＭＰ「シナリオ−３」と呼ばれ、送信点が、異なるセルＩＤを有する（すなわち、制御およびデータの送信が分離される）。この場合、ＵＥは、データの送信点とは異なる送信点から制御情報を受信し得る。たとえば、制御情報はマクロセルから、たとえばレガシーＰＤＣＣＨ上で受信され得、データはリモートラジオヘッド（ＲＲＨ：Remote Radio Head）から受信され得る。
【００６４】
[0072]  図７は、本開示のいくつかの態様による、多地点協調（ＣｏＭＰ）送信の例示的なシナリオを示す。図７に示すように、ＵＬにおいてＵＥ１がＲＲＨ４に最も近い。したがって、ＵＥ１は、アップリンク上でＲＲＨ４によってサービスされることが望ましい。図７に示すように、ＵＥ１は、ＲＲＨ４からＤＬ  ＴＭ９データを受信し、ｅＮＢ１からＤＬ制御を受信することができる。この場合、ＵＥ１は、ｅＮＢ１からのＤＬ上のＰＬを測定し、ＲＲＨ４に送信電力を適用する。
【００６５】
[0073]  しかしながら、ｅＮＢ１からＵＥ１までの経路とＵＥ１からＲＲＨ４までの経路との間にＰＬの不一致が存在することがある。
【００６６】
[0074]  第２のシナリオはＣｏＭＰ「シナリオ−４」と呼ばれ、送信点が、同じセルＩＤを共有する。したがって、ＰＤＣＣＨを介して送信される制御情報は、ＣｏＭＰクラスタ中のすべての点に共通である。
【００６７】
[0075]  図８に示すように、ＤＬ信号は、１つのマクロセル（すなわち、ｅＮＢ１）および４つのピコセル（すなわち、ＲＲＨ１、ＲＲＨ２、ＲＲＨ３、およびＲＲＨ４）から送信されるが、ＲＲＨ４がＵＥ１に最も近いので、アップリンク（ＵＬ）送信はＲＲＨ４だけを使用する。このことが、ＵＥ１上の電力を節約する。
【００６８】
[0076]  しかしながら、ＤＬのＰＬ測定値とＵＬの適用値との間にＰＬ不一致が存在する。ＤＬ上で、ＰＬは、送信電力によって重み付けされた合計として計算される。ＵＬ上で、ＰＬは、１つまたは複数のノードに依存する。基準信号（ＲＳ）電力規定が、すべてのセルから送信されるときに必要とされることがある。
【００６９】
[0077]  いくつかの可能な解決策を、手法１ａ、１ｂおよび２として以下で詳述する。これらの解決策は、ＵＥが静止および／または減じられた速度で移動しているときに適用可能であり得る。しかしながら、ＵＥが動いている（すなわち、比較的高い速度で移動している）ときは、手法１ａ、１ｂおよび２は、異なる欠点を示すことがある。
【００７０】
[0078]  第１の手法は、チャネル状態情報基準信号（ＣＳＩ−ＲＳ）を使用しない、ＲＲＣベースの解決策を伴う。いくつかの実施形態では、送信電力は、ランダムアクセスチャネル（ＲＡＣＨ）送信に対して調整され得る。ＲＡＣＨ電力は、フル開ループＰＬ補償およびPREAMBLE_RECEIVED_TARGET_POWERに基づいて決定される。ＰＬ測定値は不正確であるので、PREAMBLE_RECEIVED_TARGET_POWERは、セル内のすべてのユーザに対して低減され得、次いで、電力は、送信のために必要とされるにつれて徐々に引き上げられ得る。
【００７１】
[0079]  ＲＡＣＨ電力を決定することにおいて、他のセルに対する干渉を回避するために、初期のＲＡＣＨに対して低い電力を使用することが望ましい。一方、非常に低い電力で開始することは、ＲＡＣＨプロシージャを遅延させる。
【００７２】
[0080]    いくつかの実施形態では、シナリオ３に対して、ＲＡＣＨ電力の望ましい範囲は、ＨｅｔＮｅｔ内のｅＮＢ電力差ならびにセルＲＥバイアスに基づいて導出され得る。ＵＥは、次式
【数３】
2015521392.tif 000005
【００７３】
に基づいてｅＮＢに関連付けられ得、この式は、以下のように書き直され得る。
【数４】
2015521392.tif 000006
【００７４】
[0081]  ＰＬ不一致は、セル範囲拡張（ＣＲＥ：Cell Range Expansion）バイアスの増加によって減少する。初期ＲＡＣＨ電力は、ノードとＣＲＥに対するバイアス値との間の電力差に従って設定され得る。ｅＮＢ電力４６ｄＢおよびＲＲＨ電力３０ｄＢのシナリオに対して、０ｄＢ、６ｄＢ、９ｄＢおよび１２ｄＢのバイアスが、それぞれ、１６ｄＢ、１０ｄＢ、７ｄＢおよび４ｄＢの最悪のＰＬ誤差を有し得る。
【００７５】
[0082]  この手法の利点は、最小の仕様の変化を含み得る。これは、セル構成に関連する手法であるので、潜在的な欠点は、ユーザに対して起こり得る遅延であり得る。
【００７６】
[0083]  いくつかの実施形態では、メッセージ３の送信電力は調整され得る。この点で、送信電力制御（ＴＰＣ：transmit power control）コマンドを示すために使用されるビット長は、より良好な範囲に増加されてよい。メッセージ３に対する現在のＴＰＣコマンドは、２０ビットＵＬ許可の中で３ビットを利用する。ＲＡＣＨが正しい電力範囲、たとえば、−６ｄＢ〜８ｄＢにある場合、この長さは、メッセージ３の電力設定のために十分である。あるいは、ＲＡＣＨが遅延を低減するために高電力で送られる場合、ＴＰＣコマンドビットがメッセージ３に対して増加されてよい。
【００７７】
[0084]  技法はまた、メッセージ３の送信電力に基づいて後続のＵＬ送信（すなわち、ＲＡＣＨおよびメッセージ３の送信の後）に対して送信電力を調整するために使用され得る。メッセージ３が的確であれば、他の送信は、メッセージ３に基づいて調整され得る。手法１ａは、閉ループ電力制御調整（closed loop power control adjustment）に依存する。手法１ｂは、ＵＥ固有のＰＬ調整、ＰＬデルタまたはＰ０に依存する。
【００７８】
[0085]  いくつかの実施形態では、手法１ａに対して、競合ベースのＲＡＣＨにおいて、低送信電力が初期に送信される。この手法は、ＰＬ差が未知であるので、スロースタートに依存する。非競合ベースのＲＡＣＨに対して、たとえば、ＵＬ同期の損失およびＰＬが存在し、ＵＥが通信している基地局が知られているとき、スロースタートが回避され、遅延が回避され得る。これは、ＰＬ差が大きい場合に、より大きい電力制御ステップサイズに対するサポートを提供する。
【００７９】
[0086]  いくつかの実施形態では、ＰＤＣＣＨの変化が望ましくない場合、新しい電力制御（ＰＣ）コマンドが、拡張ＰＤＣＣＨ（ＥＰＤＣＣＨ：enhanced-PDCCH）設計に追加され得る。
【００８０】
[0087]  いくつかの実施形態では、手法１ａに対して、ｅＮＢ受信ベースの適応が、ＯＬＰＣをオフにするために使用され得る。ｅＮＢは、どのノードがＵＬ信号を受信しているかの知識を有し得る。ｅＮＢは、ＯＬＰＣをいつオフにするかまたはオンにするかを制御するように構成され得る。高モビリティのＵＥに対して、ＯＬＰＣはオフにされ得る。正しいＤＬアソシエーションを有する低モビリティのＵＥに対して、ＯＬＰＣは継続される。異なるＤＬおよびＵＬのアソシエーションを有する低モビリティのＵＥに対して、前述の両オプションが良好に働く。ｅＮＢは、閉ループ調整に完全に依存し得るか、または開ループと閉ループの両方を一緒に使用し得る。
【００８１】
[0088]  第２の手法は、ＣＳＩ−ＲＳベースの解決策を含む。ここでは、ＰＬ不一致が存在するときはいつでも、異なるＣＳＩ−ＲＳが供給される。たとえば、図７に戻って参照すると、シナリオ−３のＣｏＭＰにおいて、ＣＳＩ−ＲＳは、ＲＲＨ４からＵＥ１に供給され得る。ＣＳＩ−ＲＳは、ＰＬ不一致を補償するように設計され得る。
【００８２】
[0089]  いくつかの実施形態では、ＲＲＨの各々は、ＰＬ測定を可能にするために、それ自体のＣＳＩ−ＲＳポート上で送信する。ＰＬ測定値は、ＵＬをサービスするセルの観点から正しくなり得、同じＰＬアルゴリズムが、ＰＬ補償とともに再使用され得る。
【００８３】
[0090]  いくつかの実施形態では、ＰＬ測定のための固有のＣＳＩ−ＲＳポートのシグナリングが、ＵＥに供給され得る。ＲＳ電力はまた、ＵＥ固有であり得る。しかしながら、ＣＳＩ−ＲＳは、利用の前に構成される必要がある。また、ＣＳＩ−ＲＳシグナリングオーバーヘッドは、ＵＥモビリティが高いときに含まれ得る。たとえば、ＵＥが多くのセルを通過するとき、ＵＥがセルからセルに移行するとき、多くの異なるＣＳＩ−ＲＳ構成にシグナリングする必要がある。
【００８４】
[0091]  ＣＲＳベースの手法の拡張が提供される。いくつかの実施形態では、シナリオ−３に対して、自律型ＯＬＰＣは、ＣＲＳ干渉除去（ＣＲＳ−ＩＣ：CRS interference cancelation）に基づくことができる。ＩＣを有する高度ＵＥの場合、ＵＥは、大きいバイアスで低電力ノードを検出できる。ｅＮＢは、ＵＬ  ＣｏＭＰノードのセットを、対応するＣＲＳ構成および電力設定とともに、ＵＥにシグナリングし得る。ＵＥは、最小のＰＬを有するセルに、ＰＬ補償を自律的に付与し得る。ＵＥは、ＵＥによって受信されるＣＳＩ−ＲＳに基づいて、ＵＥに最も近いピコセルを知る。ＵＥは、異なるセルからＣＳＩ−ＲＳを受信し得る。ｅＮＢから、ＵＥは、ＣＳＩ−ＲＳ送信電力を受信する。受信電力を送信電力から減ずることで、ＵＥはＰＬを計算し得る。ＵＥは、ＵＬ送信に対して最小のＰＬを有するセルと連携し、そのセルに基づいてＯＬＰＣを適用する。
【００８５】
[0092]  いくつかの実施形態では、ＵＥは、その最も近いｅＮＢの知識に基づいてＰＬ補償を自動的に調整し得る。この手法は、最小のシグナリングオーバーヘッド、すなわち、近くにある複数のｅＮＢの存在および近くにある複数のｅＮＢの電力設定をｅＮＢがＵＥにシグナリングすること、を必要とする。
【００８６】
[0093]  ＣＲＳベースの手法（CRS Based Approach）に対する他の拡張（Enhancements）もまた提供される。いくつかの実施形態では、ｅＮＢベースの電力シェーピング（eNB-based power shaping）および部分的ＰＬ補償が使用され得る。手法１ａの１つの欠点は、その手法が潜在的電力シェーピングを持たないことである。潜在的電力シェーピングは、ｅＮＢベースの電力シェーピングアルゴリズムによって達成される。１つのアルゴリズムの第１のステップでは、ｅＮＢが、受信された信号電力、ＵＥの最大送信電力、およびＵＥの電力ヘッドルーム報告に基づいてＰＬを計算する。アルゴリズムの第２のセットでは、ｅＮＢは、部分的ＰＬ補償ベースのレートシェーピング（rate shaping）を効率的に達成するために、ＵＥの送信電力を調整するための電力制御コマンドを送信する。
【００８７】
[0094]  いくつかの実施形態では、ｅＮＢベースの直接干渉管理方式が使用され得る。電力／レートシェーピングに依存する代わりに、ＵＬ  ＣｏＭＰセット内のｅＮＢは、干渉を生じているＵＥの電力を所望のレベルに直接調整し、したがって、セル間干渉を直接制御することができる。
【００８８】
[0095]  ＣＳＩ−ＲＳに対する他の拡張も可能である。ＣＲＳベースの手法の１つの欠点は、ＵＥがモバイルであるとき、ＣＳＩ−ＲＳポートのシグナリングを必要とすることである。いくつかの実施形態では、ＣＳＩ−ＲＳポートのリストおよびＰＬ測定値に基づくＣＳＩ−ＲＳポートのＵＥの自律的選択が規定され得る。ｅＮＢは、ＵＥがモデル化するためのＣＳＩ−ＲＳポートのリストを、ＣＳＩ−ＲＳポートの各々に対する送信電力とともにシグナリングすることができる。たとえば、ｅＮＢは、ポートの完全なリストをＵＥに送り、次いで、ＵＥは、ノードの各々に対するＰＬを識別するために、これらのポートの測定を実行することができる。ＵＥは、ＣＳＩ-ＲＳポートのリストから測定された最小ＰＬに基づいてＰＬ補償を自律的に適用し、最小のＰＬを有するノードがＵＬの受信点となることを仮定することができる。
【００８９】
[0096]  いくつかの実施形態では、ｅＮＢは、ＤＬおよびＵＬが異なるＣｏＭＰセットを有し得る場合は、ＤＬ  ＣｏＭＰ測定値およびＵＬ  ＣｏＭＰ測定値に固有の分離したＣＳＩ-ＲＳポートをＵＥにシグナリングする必要がある。
【００９０】
[0097]  ＣＳＩ-ＲＳとＣＲＳの両方に基づく共同の手法（Joint Approach）に対する拡張もまた可能である。いくつかの実施形態では、ＵＥは、ＣＳＩ-ＲＳおよびＣＲＳに基づいてＯＬＰＣを自律的に切り替え得る。ＣＲＳは、ＰＬを測定するために使用される。追加のＣＳＩ-ＲＳポートが、ＯＬＰＣをオンまたはオフに切り替えるためだけにＵＥにシグナリングされ得る。あるいは、いくつかの実施形態では、ＣＳＩ-ＲＳは、ＣＲＳから測定されるどのＰＬが電力制御において使用されるべきであるかを決定するために利用され得る。
【００９１】
[0098]  いくつかの実施形態では、ＣＳＩ-ＲＳ検出に基づいて切り替えるＣＲＳ−ＩＣが使用され得る。シナリオ３に対して、ＵＥは、ＣＲＳ−ＩＣだけがＵＥによってサポートされる場合、セルを発見するためにＣＳＩ-ＲＳを使用するが、優先同期信号（ＰＳＳ：Primary Synchronization Signal）またはセカンダリ同期信号（ＳＳＳ：Secondary Synchronization Signal）のＩＣを使用する。ＵＥがＣＳＩ-ＲＳからセルを発見すると、ＵＥはＣＲＳ-ＩＣをオンにする。
【００９２】
[0099]  いくつかの実施形態では、ＣＳＩ-ＲＳは、ＰＬデルタ測定（PL delta measurement）のために使用され得る。ＣＳＩ-ＲＳベースの測定は、ＰＬデルタのために、たとえば０〜１６ｄＢの低減されたダイナミックレンジで実行され、すべての他の値は取り除かれる。
【００９３】
[0100]  図９は、経路損失の差を補償するために、たとえば、ユーザ機器（ＵＥ）によって実行され得る例示的な動作９００を示す。９０２で、動作９００は、ＵＥとのアップリンク（ＵＬ）多地点協調（ＣｏＭＰ）動作に関与する複数の送信点から、経路損失（ＰＬ）補償のために連携すべき送信点を選択することによって開始する。９０４で、ＵＥは、選択された送信点に基づいて測定された経路損失に基づいて、１つまたは複数の送信の電力を調整する。
【００９４】
[0101]  図１０は、経路損失を補償するために、たとえば、基地局（たとえば、ｅＮＢまたは他のタイプの送信点）によって実行され得る例示的な動作１０００を示す。１００２で、動作１０００は、ＵＥから送信される第１の競合ベースのランダムアクセスチャネル（ＲＡＣＨ）の送信電力を調整するために、第１の電力制御アルゴリズムを利用することによって開始する。１００４で、基地局は、非競合ベースのＲＡＣＨの送信電力を調整するために、第２の電力制御アルゴリズムを利用する。
【００９５】
[0102]  図１１は、経路損失を補償するために、たとえば、ＵＥによって実行され得る例示的な動作１１００を示す。１１０２で、動作１１００は、第１の競合ベースのランダムアクセスチャネル（ＲＡＣＨ）の送信電力を調整するために、第１の電力制御アルゴリズムを利用することによって開始する。１１０４で、ＵＥは、非競合ベースのＲＡＣＨの送信電力を調整するために、第２の電力制御アルゴリズムを利用する。
【００９６】
[0103]  図１２は、経路損失を補償するために、たとえば、基地局によって実行され得る例示的な動作１２００を示す。１２０２で、動作１２００は、ＵＥのモビリティを決定することによって開始する。１２０４で、基地局は、決定されたモビリティに基づいてＵＥからの送信の電力の制御に使用するための電力制御アルゴリズムを選択する。
【００９７】
[0104]  図１３は、経路損失を補償するために、たとえば、ＵＥによって実行され得る例示的な動作１３００を示す。１３０２で、動作１３００は、ＵＥとのアップリンク（ＵＬ）多地点協調（ＣｏＭＰ）送信に関与する複数の送信点に対する経路損失（ＰＬ）を測定することによって開始する。１３０４で、ＵＥは、ＰＬ補償を適用するために送信点のうちの１つをＰＬ測定値に基づいて選択する。
【００９８】
[0105]  図１４は、経路損失を補償するために、たとえば、基地局によって実行され得る例示的な動作１４００を示す。１４０２で、動作１４００は、ユーザ機器（ＵＥ）と、ＵＥとのアップリンク（ＵＬ）多地点協調（ＣｏＭＰ）送信に関与する１つまたは複数の送信点との間の経路損失（ＰＬ）を測定することによって開始する。１４０４で、基地局は、測定された経路損失を補償するためのアクションを行う。
【００９９】
[0106]  図１５は、経路損失を補償するために、たとえば、ＵＥによって実行され得る例示的な動作１５００を示す。１５０２で、動作１５００は、共通基準信号（ＣＲＳ）と、アップリンク（ＵＬ）ＣｏＭＰ送信に関与する送信点から送信されたチャネル状態情報基準信号（ＣＳＩ-ＲＳ）との両方を測定することによって開始する。１５０４で、ＵＥは、ＣＲＳとＣＳＩ-ＲＳの両方に基づいてＵＬ送信のための電力制御を実行する。
【０１００】
[0107]  情報および信号は様々な異なる技術および技法のいずれかを使用して表すことができることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１０１】
[0108]  さらに、本明細書の開示に関連して説明した様々な例示的な論理ブロック、モジュール、回路、およびアルゴリズムステップは、電子ハードウェア、コンピュータソフトウェア、または両方の組合せとして実施できることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能をハードウェアとして実施するか、ソフトウェアとして実施するかは、特定の適用例および全体的なシステムに課される設計制約に依存する。当業者は、説明した機能を特定の適用例ごとに様々な方法で実施することができるが、そのような実施の決定は、本開示の範囲からの逸脱を生じるものと解釈すべきではない。
【０１０２】
[0109]  本明細書の開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタロジック、個別ハードウェア構成要素、あるいは本明細書に記載の機能を実行するように設計されたそれらの任意の組合せを用いて実施または実行できる。汎用プロセッサはマイクロプロセッサとすることができるが、あるいは、プロセッサは、任意の従来のプロセッサ、コントローラ、マイクロコントローラ、または状態マシンとすることができる。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実施することもできる。
【０１０３】
[0110]  本明細書の開示に関して説明した方法またはアルゴリズムのステップは、直接ハードウェアで実施するか、プロセッサによって実行されるソフトウェアモジュールで実施するか、またはその２つの組合せで実施することができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐することができる。例示的な記憶媒体は、プロセッサが記憶媒体から情報を読み取り、および／または記憶媒体に情報を書き込むことができるように、プロセッサに結合される。あるいは、記憶媒体はプロセッサに一体化することができる。プロセッサおよび記憶媒体はＡＳＩＣ中に常駐することができる。ＡＳＩＣは、ユーザ端末内に常駐することができる。あるいは、プロセッサおよび記憶媒体は、ユーザ端末内に個別構成要素として常駐することもできる。一般に、図に示す動作がある場合、それらの動作は、同様の番号をもつ対応するカウンターパートのミーンズプラスファンクション構成要素を有し得る。
【０１０４】
[0111]  １つまたは複数の例示的な設計では、説明した機能を、ハードウェア、ソフトウェア、ファームウェア、またはそれらの任意の組合せで実施することができる。ソフトウェアで実施する場合、機能は、１つまたは複数の命令またはコードとしてコンピュータ可読媒体上に記憶するか、あるいはコンピュータ可読媒体を介して送信することができる。コンピュータ可読媒体は、ある場所から別の場所へのコンピュータプログラムの転送を容易にする任意の媒体を含む、コンピュータ記憶媒体とコンピュータ通信媒体の両方を含む。記憶媒体は、汎用または専用コンピュータによってアクセスできる任意の利用可能な媒体とすることができる。限定ではなく例として、そのようなコンピュータ可読媒体は、ＲＡＭ、ＲＯＭ、ＥＥＰＲＯＭ、ＣＤ−ＲＯＭ、または他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る、任意の他の媒体を備えることができる。さらに、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用される場合、ディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイディスク（disc）（登録商標）を含み、ディスク（disk）は、通常、データを磁気的に再生し、ディスク（disc）は、データをレーザで光学的に再生する。上記の組合せもコンピュータ可読媒体の範囲内に含めるべきである。
【０１０５】
[0112]  本開示の前述の説明は、いかなる当業者でも本開示を作成または使用することができるように提供される。本開示への様々な修正は当業者には容易に明らかであり、本明細書で定義した一般原理は、本開示の趣旨または範囲から逸脱することなく他の変形形態に適用できる。したがって、本開示は、本明細書で説明する例および設計に限定されるものではなく、本明細書で開示する原理および新規の特徴に合致する最も広い範囲を与えられるべきである。
【図１】
2015521392.tif 000007
【図２】
2015521392.tif 000008
【図２Ａ】
2015521392.tif 000009
【図３】
2015521392.tif 000010
【図４】
2015521392.tif 000011
【図５】
2015521392.tif 000012
【図６】
2015521392.tif 000013
【図７】
2015521392.tif 000014
【図８】
2015521392.tif 000015
【図９】
2015521392.tif 000016
【図１０】
2015521392.tif 000017
【図１１】
2015521392.tif 000018
【図１２】
2015521392.tif 000019
【図１３】
2015521392.tif 000020
【図１４】
2015521392.tif 000021
【図１５】
2015521392.tif 000022